(57)【要約】  天井配設器具支持部材（１）は、部屋の天井面Ｃにアダプタ（１２）を介して配設された天井配設器具（２０）に設けられた取付部（２２）に係止可能であり、上端及び下端が開放された側壁（３１）を有し、側壁（３１）の内側に空間Ｓを有する係止部（３０）と、両端が側壁（３１）に接続されることにより空間Ｓに跨設された支持部（４０）と、を備える。係止部（３０）は、取付部（２２）に係止させることができる。支持部（４０）は、手の平で支えることができ、かつ、手の指で握ることができる。
2019239500.tif 000002
【特許請求の範囲】
【請求項１】
部屋の天井面にアダプタを介して配設された天井配設器具に設けられた取付部に係止可能であり、上端及び下端が開放された側壁を有し、前記側壁の内側に空間を有する係止部と、
両端が前記側壁に接続されることにより前記空間に跨設された支持部と、
を備え、
前記係止部は、前記取付部に係止させることができ、
前記支持部は、手の平で支えることができ、かつ、手の指で握ることができる、
ことを特徴とする天井配設器具支持部材。
【請求項２】
側面視における前記側壁の幅は、前記上端の側よりも前記下端の側のほうが広い、
ことを特徴とする請求項１に記載の天井配設器具支持部材。
【請求項３】
前記側壁は、前記取付部に嵌合される、
ことを特徴とする請求項１または２に記載の天井配設器具支持部材。
【請求項４】
前記取付部及び前記側壁は、平面視で略円形の断面である、
ことを特徴とする請求項１から３のいずれか１項に記載の天井配設器具支持部材。
【請求項５】
前記係止部は、さらに、前記上端に押止部を有し、
前記押止部は、前記取付部に押止されることにより係止される、
ことを特徴とする請求項１から４のいずれか１項に記載の天井配設器具支持部材。
【請求項６】
前記支持部は、取り外し可能である、
ことを特徴とする請求項１から５のいずれか１項に記載の天井配設器具支持部材。
【請求項７】
部屋の天井面にアダプタを介して配設され、
少なくとも前記アダプタの一部を収容する、又は、前記アダプタの下部の周辺に位置する、取付部を有し、
前記取付部には、
上端及び下端が開放された側壁を有し、前記側壁の内側に空間を有する係止部と、両端が前記側壁に接続されることにより前記空間に跨設された支持部と、を備える天井配設器具支持部材の前記係止部が係止可能であり、
前記支持部は、手の平で支えることができ、かつ、手の指で握ることができる、
ことを特徴とする天井配設器具。
【請求項８】
平面視で前記取付部を略中央に有する、
ことを特徴とする請求項７に記載の天井配設器具。
【請求項９】
前記取付部は、下方に突出した壁面を有する、
ことを特徴とする請求項７または８に記載の天井配設器具。
【請求項１０】
部屋の天井面にアダプタを介して配設された天井配設器具の取付部に、上端及び下端が開放された側壁を有する天井配設器具支持部材の、前記側壁の内側に空間を有する係止部を係止させ、
前記天井配設器具の前記取付部以外の部分をユーザが一方の手で支えつつ、前記下端から前記ユーザが他方の手を入れ、両端が前記側壁に接続されることにより前記空間に跨設された支持部を前記他方の手で支持しながら前記他方の手の指を前記上端に通して前記アダプタから前記天井配設器具を取り外す、
ことを特徴とする天井配設器具の取り外し方法。
【発明の詳細な説明】
【技術分野】
【０００１】
本発明は、部屋の天井面に配設される照明器具等を引掛シーリングボディに取り付けられたアダプタから取り外す時に使用する天井配設器具支持部材、天井配設器具支持部材を使用可能な天井配設器具及び天井配設器具の取り外し方法に関する。
【背景技術】
【０００２】
部屋の天井面に配設される照明等は、通常、アダプタを介して、天井に配置された引掛シーリングボディに取り付けられている。しかし、重量のある照明等（シャンデリアやプロジェクタ一体型照明等）を天井に配設する場合、取付作業等が困難になる。【０００３】
これらの問題に対応するために、特許文献１では、照明器具本体に樹脂成形品を使用して軽量化された照明器具が開示されている。
【先行技術文献】
【特許文献】
【０００４】
【特許文献１】特開２００１−７６５３１号公報
【発明の概要】
【発明が解決しようとする課題】
【０００５】
特許文献１に記載の照明器具は、器具本体１を樹脂製にすることにより軽量化されており、取付アダプタ１０を介して天井に配設された引掛シーリング３１に取り付けられるため、取付作業が容易になる。しかしながら、照明器具を取り外す際には、取付アダプタ１０の操作つまみ１０ｄを片手で操作しつつ、他方の手のみで照明器具を支えることになる。このため、照明器具が取付アダプタ１０から取り外された時、片手のみで照明器具の全重量を支える必要があり、照明器具の取り外し時にユーザが照明器具を落とす等のおそれがある。【０００６】
そこで、本発明の目的は、照明器具等を、その重量にかかわらず、容易かつ安全にアダプタから取り外しできる天井配設器具支持部材、天井配設器具支持部材を使用可能な天井配設器具及び天井配設器具の取り外し方法を提供することにある。
【課題を解決するための手段】
【０００７】
上記目的を達成するために、本発明の第１の観点に係る天井配設器具支持部材は、
部屋の天井面にアダプタを介して配設された天井配設器具に設けられた取付部に係止可能であり、上端及び下端が開放された側壁を有し、前記側壁の内側に空間を有する係止部と、
両端が前記側壁に接続されることにより前記空間に跨設された支持部と、
を備え、
前記係止部は、前記取付部に係止させることができ、
前記支持部は、手の平で支えることができ、かつ、手の指で握ることができる、
ことを特徴とする。【０００８】
また、側面視における前記側壁の幅は、前記上端の側よりも前記下端の側のほうが広いと良い。【０００９】
前記側壁は、前記取付部に嵌合されると良い。【００１０】
また、前記取付部及び前記側壁は、平面視で略円形の断面であると良い。【００１１】
前記係止部は、さらに、前記上端に押止部を有し、
前記押止部は、前記取付部に押止されることにより係止されていても良い。【００１２】
前記支持部は、取り外し可能であっても良い。【００１３】
本発明の第２の観点に係る天井配設器具は、
部屋の天井面にアダプタを介して配設され、
少なくとも前記アダプタの一部を収容する、又は、前記アダプタの下部の周辺に位置する、取付部を有し、
前記取付部には、
上端及び下端が開放された側壁を有し、前記側壁の内側に空間を有する係止部と、両端が前記側壁に接続されることにより前記空間に跨設された支持部と、を備える天井配設器具支持部材の前記係止部が係止可能であり、
前記支持部は、手の平で支えることができ、かつ、手の指で握ることができる、
ことを特徴とする。【００１４】
平面視で前記取付部を略中央に有すると良い。【００１５】
前記取付部は、下方に突出した壁面を有していても良い。【００１６】
本発明の第３の観点に係る天井配設器具の取り外し方法は、
部屋の天井面にアダプタを介して配設された天井配設器具の取付部に、上端及び下端が開放された側壁を有する天井配設器具支持部材の、前記側壁の内側に空間を有する係止部を係止させ、
前記天井配設器具の前記取付部以外の部分をユーザが一方の手で支えつつ、前記下端から前記ユーザが他方の手を入れ、両端が前記側壁に接続されることにより前記空間に跨設された支持部を前記他方の手で支持しながら前記他方の手の指を前記上端に通して前記アダプタから前記天井配設器具を取り外す、
ことを特徴とする。
【発明の効果】
【００１７】
本発明によれば、照明器具等を、その重量にかかわらず、容易かつ安全にアダプタから取り外しできる。
【図面の簡単な説明】
【００１８】
【図１】本発明の実施形態に係る天井配設器具支持部材を用いてカバーを外した天井配設器具をアダプタから取り外す様子を示す側面断面図である。
【図２】本発明の実施形態に係る天井配設器具支持部材の斜視図である。
【図３】本発明の実施形態に係る天井配設器具及びアダプタの底面図である。
【図４Ａ】本発明の実施形態に係るアダプタの下方からの斜視図である。
【図４Ｂ】本発明の実施形態に係るアダプタの上方からの斜視図である。
【図５Ａ】他の実施形態に係る天井配設器具に本発明の実施形態に係る天井配設器具支持部材を使用した場合の側面断面図である。
【図５Ｂ】他の実施形態に係る天井配設器具支持部材を本発明の実施形態に係る天井配設器具に使用した場合の側面断面図である。
【図６】他の実施形態に係る天井配設器具に本発明の実施形態に係る天井配設器具支持部材を使用した場合の側面断面図である。
【図７】他の実施形態に係る天井配設器具及び天井配設器具支持部材の側面断面図である。
【発明を実施するための形態】
【００１９】
本発明の天井配設器具支持部材、天井配設器具支持部材を使用可能な天井配設器具及び天井配設器具の取り外し方法について、以下、添付図面を参照して説明する。なお、説明における上下左右前後方向は、各図の矢印に従う。また、同一又は同等の部分には同一の符号を付す。
【００２０】
本発明の一実施形態としての天井配設器具支持部材１は、図１に示すように、部屋の天井面Ｃに配置された略円筒形状の引掛シーリングボディである照明用配線器具１０にアダプタ１２を介して接続された天井配設器具２０をアダプタ１２から取り外す際に使用されるものである。
【００２１】
照明用配線器具１０は、天井配設器具２０を支持し、かつ天井配設器具２０に電力を供給する電源ソケットである。
【００２２】
［天井配設器具支持部材１の構成］
図２に示すように、天井配設器具支持部材１は、係止部３０と、支持部４０と、を備える。
【００２３】
係止部３０は、上端３２及び下端３３が開放された側壁３１を有する。係止部３０は、弾性体、例えばゴム製であり、後述する天井配設器具２０の取付部２２に嵌合される。側壁３１は、平面視で、一定の厚さｔを有する略円形状に形成されている。側壁３１は、側面視で上端３２における幅（直径）よりも下端３３における幅（直径）のほうが広くなった略台形状を呈する帯状の部材である。
【００２４】
側壁３１は、内側に空間Ｓを有する。図１に示すように、天井配設器具２０をアダプタ１２から取り外す際に、ユーザが一方の手Ｈ１で天井配設器具２０を支えつつ、他方の手Ｈ２を空間Ｓに入れて他方の手Ｈ２の指でアダプタ１２の後述するツマミ１６，１７を操作する。
【００２５】
図２に示すように、支持部４０は、略円柱状であり、両端を側壁３１に接続されることにより空間Ｓに前後方向に跨設されている。本実施形態では、支持部４０は、側壁３１と一体で形成されている。支持部４０は、側面視で側壁３１の上端３２付近の高さに設けられている。支持部４０は、ゴム製である。
【００２６】
図１に示すように、支持部４０は、天井配設器具２０をアダプタ１２から取り外す際に、ユーザが一方の手Ｈ１で天井配設器具２０を支えつつ、他方の手Ｈ２を空間Ｓに入れて他方の手Ｈ２の指でアダプタ１２を操作する時に、他方の手Ｈ２でしっかり握られる、若しくは、他方の手Ｈ２の手の平で下方から支持される。
【００２７】
［天井配設器具２０の構成］
天井配設器具２０は、本実施形態では、鏡餅状の、重量が約５ｋｇのシーリングライトである。図３に示すように、天井配設器具２０は、平面視で略円形状であり、中央部分には、アダプタ１２が接続されている。
【００２８】
天井配設器具２０は、本実施形態では、ＬＥＤ（Ｌｉｇｈｔ  Ｅｍｉｔｔｉｎｇ  Ｄｉｏｄｅ）２８を光源とするシーリングライトである。図１に示すように、天井配設器具２０は、上部筐体２１と、電源回路２４と、光源用基板２７と、ＬＥＤ２８と、カバー２９と、電源コネクタ（図示せず）と、を備える。
【００２９】
上部筐体２１は、鋼板、例えばＳＰＣＣ（Ｓｔｅｅｌ  Ｐｌａｔｅ  Ｃｏｌｄ  Ｃｏｍｍｅｒｃｉａｌ）を平面視で略リング状に加工成型したものに、リング状部分の内側に沿って取付部２２が設けられた側面視の断面が凹状の円盤が取り付けられたものである。
【００３０】
取付部２２は、上部筐体２１の上下方向に形成された略円筒状の壁面である。取付部２２は、底面視で、天井配設器具２０の略中央に配置されている。取付部２２には、左右方向に、アダプタ１２の後述する器具係止爪１５に係止されるための係止孔２３が設けられている。取付部２２には、アダプタ１２が挿入される。天井配設器具２０をアダプタ１２から取り外す際に、取付部２２には、天井配設器具支持部材１の係止部３０が嵌合される。
【００３１】
取付部２２及びＬＥＤ２８の下方を覆うように、上部筐体２１には、下部筐体である透光性を有する樹脂製のカバー２９が取り付けられる。
【００３２】
電源回路２４は、電源用基板２５と、この電源用基板２５に実装された複数の電子部品２６とを備えている。電源回路２４は、上部筐体２１に取り付けられている。電源回路２４は、照明用配線器具１０、アダプタ１２等を通じて交流電源が入力され、この入力された交流電源を所定の直流電源に変換し、変換した直流電源をＬＥＤ２８に供給し、複数のＬＥＤ２８を点灯させる。
【００３３】
図３に示すように、光源用基板２７は、底面視で略円盤状であり、上部筐体２１に取り付けられている。ＬＥＤ２８は、底面視で直径の異なる複数の略リング状に形成され、光源用基板２７に実装されている。
【００３４】
［アダプタ１２の構成］
図４Ａ、図４Ｂに示すように、アダプタ１２は、筐体１３と、部屋の天井面Ｃに配置された照明用配線器具１０に接続するための上部係止爪１４と、天井配設器具２０に接続し、天井配設器具２０を固定するための器具係止爪１５と、ツマミ１６，１７と、電源コネクタ（図示せず）と、を有する。
【００３５】
筐体１３は、非電導性の樹脂製であり、略円筒状に形成されている。筐体１３の上面から上部係止爪１４が突出し、側面から左右方向に器具係止爪１５が突出している。器具係止爪１５が筐体１３から突出することにより、アダプタ１２が天井配設器具２０を支持する。
【００３６】
筐体１３の下面にツマミ１６，１７が配置されている。ツマミ１６，１７は、左右方向にユーザの指で互いに近付ける方向に動かされることにより、筐体１３から突出した器具係止爪１５を筐体１３内に収容する。これにより、ユーザは、アダプタ１２から天井配設器具２０を取り外すことができる。
【００３７】
［天井配設器具２０の取り外し方法］
図１に示すように、ユーザは、部屋の天井面Ｃの照明用配線器具１０にアダプタ１２を介して配設された天井配設器具２０の取付部２２に、天井配設器具支持部材１の係止部３０の側壁３１を嵌合させる。このとき、図３に示すように、底面視で支持部４０がツマミ１６，１７の動作範囲を妨げないように、底面視で側壁３１を回転させて支持部４０の位置が前後方向になるように調整する。なお、天井配設器具２０に天井配設器具支持部材１を嵌合させる前に、あらかじめ天井配設器具２０の電源コネクタを、アダプタ１２の電源コネクタから取り外しておく。
【００３８】
図１に示すように、ユーザは、天井配設器具２０の取付部２２以外の部分を一方の手Ｈ１で支えつつ、天井配設器具支持部材１の側壁３１の下端から他方の手Ｈ２を入れる。ユーザは、他方の手Ｈ２で支持部４０をしっかり握り、若しくは、他方の手Ｈ２の手の平で下方から支えながら、他方の手Ｈ２の指を側壁３１の上端に通して、指でアダプタ１２の下部に設けられたツマミ１６，１７を互いに近付ける方向に操作することにより、天井配設器具２０をアダプタ１２から取り外す。天井配設器具２０をアダプタ１２から取り外した後は、ユーザは、他方の手Ｈ２で支持部４０をしっかり握って天井配設器具２０を床やテーブル等まで移動させる。
【００３９】
以上説明したように、本実施形態の天井配設器具支持部材１は、照明用配線器具１０にアダプタ１２を介して配設された天井配設器具２０の取付部２２に嵌合され、支持部４０をユーザの他方の手Ｈ２でしっかり握り、若しくは、他方の手Ｈ２の手の平で下方から支持しながら他方の手Ｈ２の指でアダプタ１２から天井配設器具２０を取り外すためにツマミ１６，１７を操作可能である。さらに、取付部２２は、底面視で、天井配設器具２０の略中央に配置されているので、アダプタ１２から天井配設器具２０を取り外した後、ユーザは、天井配設器具２０の中心付近を支持部４０で安定して支持できる。従って、ユーザが天井配設器具２０を両手で支えながらアダプタ１２から取り外すことができるので、天井配設器具支持部材１を天井配設器具２０に使用することにより、天井配設器具２０を、その重量にかかわらず、容易かつ安全にアダプタ１２から取り外しできる。
【００４０】
なお、本発明は、本発明の広義の精神と範囲を逸脱することなく、様々な実施形態及び変形が可能とされているものである。また、上述した実施形態は、本発明の一実施例を説明するためのものであり、本発明の範囲を限定するものではない。上記実施例及び変形例は任意に組み合わせることができる。さらに、必要に応じて実施形態の構成要件の一部を除いても本発明の技術的思想の範囲内となる。
【００４１】
例えば、上記実施形態では、天井配設器具支持部材１は、通常のシーリングライトである天井配設器具２０に使用したが、アダプタを介して照明用配線器具に取り付けられるものであれば、スピーカ内蔵のシーリングライトである天井配設器具に使用しても良いし、プロジェクタ内蔵のシーリングライトである天井配設器具等に使用しても良いし、天井付のスピーカやプロジェクタである天井配設器具等に使用しても良い。また、天井配設器具支持部材１の素材も弾性体以外、例えば樹脂等であっても良い。天井配設器具の底面視における外形は、略円形以外、例えば略矩形状や略楕円状等であっても良い。また、天井配設器具の光源の種類も問わない。
【００４２】
また、上記実施形態では、取付部２２は、底面視で天井配設器具２０の略中央に配置されていたが、取付部は、底面視で天井配設器具の中央から偏心した位置に配置されていても良い。タンス等の配置のために、照明の位置が部屋の中央でない方が部屋の照明の照度差が小さくなる場合には、取付部は、底面視で天井配設器具の中央から偏心した位置に配置されている方が好ましい。
【００４３】
上記実施形態では、側壁３１は、取付部２２に嵌合されていたが、図５Ａに示すように、側壁３１は、取付部２２Ａに係止されていても良い。取付部２２Ａは、上下端が開放された略円筒形状である。側壁３１の上部の直径は、取付部２２Ａの直径よりも小さく、側壁３１の下部の直径は、取付部２２Ａの直径よりも大きい直径である。ユーザが他方の手Ｈ２の手の平で支持部４０を支持することにより、側壁３１は、取付部２２Ａに係止される。側壁３１は、取付部２２Ａに係止されているだけなので、側壁３１が取付部２２に嵌合されている場合に比べて、支持部４０がツマミ１６，１７の動作範囲を妨げないように位置合わせするのが容易になる。
【００４４】
また、図５Ｂに示すように、取付部２２だけが側面視で略台形状であり、側壁３１Ａは略円筒形状であることにより、側壁３１Ａは、取付部２２に係止されていても良い。或いは、側壁、取付部ともに略円筒形状であっても良いし、他の形状であっても良い。
【００４５】
上記実施形態では、支持部４０は側壁３１と一体で形成されていたが、支持部は側壁３１から取り外し可能な別部品であっても良い。或いは、支持部は、側壁では無く天井配設器具の取付部等に設けられた孔等に直接取付可能（支持部の端部が伸縮する、支持部を湾曲させる等の方法で取り付ける）な単独の部品であっても良い。
【００４６】
また、上記実施形態では、側壁３１及び取付部２２は、平面視で略円形状の断面であったが、何れか一方が略円形状の断面で他方が平面視で多角形状や略楕円形状であっても良い。或いは、側壁及び取付部の両方が平面視で多角形状や略楕円形状であっても良い。側壁が取付部に嵌合される、或いは、係止されるような形状に側壁及び取付部が形成されていれば、側面視、平面視のいずれも他の形状であっても良い。
【００４７】
上記実施形態では、取付部２２は、上部筐体２１に形成された壁面であったが、例えば、図６に示すように、薄型の上部筐体２１Ｂの取付部２２Ｂを下方に延長させることにより、壁面５１を突出させて天井配設器具支持部材１を挿入させるスペースを確保しても良い。或いは、図７に示すように、取付部２２Ｃが上部筐体２１Ｃの下方に突出せず、かつ、取付部２２Ｃに係止部３０Ｂを挿入できない場合、係止部３０Ｂの側壁３１Ｂの上端３２から天井配設器具２０Ｃの外側（周方向）に向けて延出された押止部３６を形成し、取付部２２Ｃの下端から天井配設器具２０Ｃの内部側の上部筐体２１Ｃまで延設された取付部２２Ｄに係止させると良い。このとき、側壁３１Ｂの上端３２の開口幅Ｗ１は、天井配設器具２０Ｃの取付部２２Ｃの開口幅Ｗ２よりも大きいと良く、押止部３６の上面は、ゴム等の摩擦係数の高い素材であると天井配設器具２０Ｃに天井配設器具支持部材１Ｂがしっかり押止されて良い。
【００４８】
また、上記実施形態では、照明用配線器具１０は、略円筒形状の引掛シーリングボディであったが、照明用配線器具は、略直方体状であっても良く、引掛埋込ローゼットや高荷重引掛シーリング・ローゼットであっても良い。或いは、各国・地域で定められた（又はデファクト・スタンダードの）所定の形状の照明用配線器具であっても良く、アダプタも、これに対応した形状であっても良い。
【００４９】
上記実施形態では、アダプタ１２は、ツマミ１６，１７をユーザの指で互いに近付ける方向に動かされることにより、筐体１３から突出した器具係止爪１５を筐体１３内に収容していたが、ツマミをユーザの指で互いに遠ざける方向に動かされることにより器具係止爪を筐体内に収容しても良く、回転式のツマミを回すことにより器具係止爪を筐体内に収容しても良い。器具係止爪を筐体内に収容するためのツマミの操作を妨げない位置に支持部を配置できるアダプタであれば良い。
【００５０】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、請求の範囲によって示される。そして、請求の範囲内及びそれと同等の発明の意義の範囲内で施される様々な変形が、この発明の範囲内とみなされる。
【符号の説明】
【００５１】
１，１Ａ，１Ｂ    天井配設器具支持部材
１０    照明用配線器具
１２    アダプタ
１３    筐体
１４    上部係止爪
１５    器具係止爪
１６，１７    ツマミ
２０，２０Ａ，２０Ｂ，２０Ｃ    天井配設器具
２１，２１Ａ，２１Ｂ，２１Ｃ    上部筐体
２２，２２Ａ，２２Ｂ，２２Ｃ，２２Ｄ    取付部
２３    係止孔
２４    電源回路
２５    電源用基板
２６    電子部品
２７    光源用基板
２８    ＬＥＤ
２９    カバー
３０，３０Ｂ    係止部
３１，３１Ａ，３１Ｂ    側壁
３２    上端
３３    下端
３６    押止部
４０    支持部
５１    壁面
Ｃ      天井面
Ｈ１    一方の手
Ｈ２    他方の手
Ｓ      空間
【図１】
2019239500.tif 000003
【図２】
2019239500.tif 000004
【図３】
2019239500.tif 000005
【図４Ａ】
2019239500.tif 000006
【図４Ｂ】
2019239500.tif 000007
【図５Ａ】
2019239500.tif 000008
【図５Ｂ】
2019239500.tif 000009
【図６】
2019239500.tif 000010
【図７】
2019239500.tif 000011
【国際調査報告】
2019239500.tif 000012
2019239500.tif 000013